(57)【要約】【課題】タッチパネルに表示されるボタンの位置を特定しやすい表示装置を提供すること。【解決手段】プリンター機能およびコピー機能を備える複合機１（表示装置）は、タッチパネル４と、スピーカー５、６と、タッチパネル４に第１ボタン２１を表示する処理制御部１５と、タッチパネル４にタッチされているときにタッチ位置が第１ボタン２１から所定距離Ｌ０以内の位置である場合に、第１ボタン２１の位置をスピーカー５、６から案内する案内部１６と、を有する。【選択図】図１
2018120504.tif 000002
【特許請求の範囲】
【請求項１】
タッチパネルと、
スピーカーと、
前記タッチパネルにボタンを表示する制御部と、
前記タッチパネルにタッチされているときにタッチ位置が前記ボタンから所定距離以内の位置である場合に、前記ボタンの位置を前記スピーカーから案内する案内部と、
を有することを特徴とする表示装置。
【請求項２】
前記スピーカーとして、複数のスピーカーを備え、
前記案内部は、前記タッチ位置から見て前記ボタンの側に位置するスピーカーからの案内を前記ボタンとは反対側に位置するスピーカーからの案内より大きな音量で行うことを特徴とする請求項１に記載の表示装置。
【請求項３】
前記案内部は、前記タッチ位置と前記ボタンとの間の距離が前記所定距離以下の第１距離の場合の案内は、前記タッチ位置と前記ボタンとの間の距離が前記所定距離以下で前記第１距離よりも長い第２距離の場合の案内よりも、音量を大きくすることを特徴とする請求項１または２に記載の表示装置。
【請求項４】
前記案内部は、前記タッチ位置が前記ボタン上にある場合には、前記タッチ位置がボタンから外れた位置にある場合と異なる案内を行うことを特徴とする請求項１から３のうちのいずれか一項に記載の表示装置。
【請求項５】
前記案内部は、前記タッチ位置が前記タッチパネル上を移動する場合には、前記タッチ位置と前記ボタンとの間の距離の変化に基づいて案内を変化させることを特徴とする請求項１から４のうちのいずれか一項に記載の表示装置。
【請求項６】
前記案内部は、前記タッチパネルにタッチされている間、案内を繰り返すことを特徴とする請求項１から５のうちのいずれか一項に記載の表示装置。
【請求項７】
前記案内部は、前記タッチ位置と前記ボタンとの相対位置を、方向を表す言葉で案内することを特徴とする請求項１から６のうちのいずれか一項に記載の表示装置。
【請求項８】
前記制御部は、前記ボタンとして、前記タッチパネルに複数の前記ボタンを表示し、
前記案内部は、前記タッチ位置が、２つの前記ボタンの双方から所定距離以内に位置する場合には、２つの前記ボタンのうち前記タッチ位置に近い一方のボタンの案内を他方のボタンの案内よりも先に行うことを特徴とする請求項１から７のうちのいずれか一項に記載の表示装置。
【請求項９】
前記制御部は、前記ボタンとして、前記タッチパネルに複数の前記ボタンを表示し、
前記案内部は、前記タッチ位置が、２つの前記ボタンの双方から所定距離以内に位置する場合には、２つの前記ボタンのうち前記タッチ位置に近い一方のボタンの案内を他方のボタンの案内よりも大きな音量で行うことを特徴とする請求項１から７のうちのいずれか一項に記載の表示装置。
【発明の詳細な説明】
【技術分野】
【０００１】
本発明は、タッチパネルの操作を音声で案内する表示装置に関する。
【背景技術】
【０００２】
入力手段としてタッチパネルを備える装置は特許文献１に記載されている。特許文献１の装置は、タッチパネルにＧＵＩ部品（ＧＵＩ：Ｇｒａｐｈｉｃａｌ  Ｕｓｅｒ  Ｉｎｔｅｒｆａｃｅ）である複数のボタンを表示し、ユーザーが複数のボタンのうちの一つのボタンをタッチすると、タッチしたボタンに予め割り当てられている処理を実行する。また、装置は、ユーザーがボタンをタッチしたときに、ボタンに割り当てられた処理を音声で通知する。
【先行技術文献】
【特許文献】
【０００３】
【特許文献１】特開２００７−０８６８５６号公報
【発明の概要】
【発明が解決しようとする課題】
【０００４】
タッチパネルに表示されるボタンには、物理的なボタンのような凹凸がない。従って、目の不自由なユーザーがタッチパネルを操作する際には、所望の処理が割り当てられたボタンの位置を特定することが困難であり、ボタンにタッチすることが容易ではないという問題がある。
【０００５】
本発明の課題は、このような点に鑑みて、タッチパネルに表示されるボタンの位置を特定しやすい表示装置を提供することにある。
【課題を解決するための手段】
【０００６】
上記の課題を解決するために、本発明の表示装置は、タッチパネルと、スピーカーと、前記タッチパネルにボタンを表示する制御部と、前記タッチパネルにタッチされているときにタッチ位置が前記ボタンから所定距離以内の位置である場合に、前記ボタンの位置を前記スピーカーから案内する案内部と、を有することを特徴とする。
【０００７】
本発明によれば、ユーザーがボタンから所定距離内の位置をタッチすると、スピーカーからの案内音により、ボタンの位置が案内される。従って、タッチパネル上のボタンの位置を目視によらず、特定することが容易となる。
【０００８】
本発明において、前記スピーカーとして、複数のスピーカーを備え、前記案内部は、前記タッチ位置から見て前記ボタンの側に位置するスピーカーからの案内を前記ボタンとは反対側に位置するスピーカーからの案内より大きな音量で行うものとすることができる。このようにすれば、各スピーカーからの案内音の音量の大小によって、ユーザーにタッチパネル上のボタンの位置を案内できる。
【０００９】
本発明において、前記案内部は、前記タッチ位置と前記ボタンとの間の距離が前記所定距離以下の第１距離の場合の案内は、前記タッチ位置と前記ボタンとの間の距離が前記所定距離以下で前記第１距離よりも長い第２距離の場合の案内よりも、音量を大きくすることが望ましい。このようにすれば、タッチ位置がボタンに近いか否かをスピーカーからの案内音の音量の大小に基づいて把握できる。
【００１０】
本発明において、前記案内部は、前記タッチ位置が前記ボタン上にある場合には、前記タッチ位置がボタンから外れた位置にある場合と異なる案内を行うことが望ましい。このようにすれば、ユーザーがボタンをタッチしてことを把握できる。従って、ユーザーはボタンを操作しやすい。
【００１１】
本発明において、前記案内部は、前記タッチ位置が前記タッチパネル上を移動する場合には、前記タッチ位置と前記ボタンとの間の距離の変化に基づいて案内を変化させるものとすることができる。このようにすれば、ユーザーがタッチパネル上でタッチ位置を移動させている場合に、タッチ位置とボタンの位置との相対的な変化をユーザーに知らせることができる。
【００１２】
本発明において、前記案内部は、前記タッチパネルにタッチされている間、案内を繰り返すことが望ましい。このようにすれば、ユーザーが案内を把握しやすい。
【００１３】
本発明において、前記案内部は、前記タッチ位置と前記ボタンとの相対位置を、方向を表す言葉で案内するものとすることができる。このようにすれば、ユーザーがボタンの位置を把握しやすい。
【００１４】
本発明において、前記制御部は、前記ボタンとして、前記タッチパネルに複数の前記ボタンを表示し、前記案内部は、前記タッチ位置が、２つの前記ボタンの双方から所定距離以内に位置する場合には、２つの前記ボタンのうち前記タッチ位置に近い一方のボタンの案内を他方のボタンの案内よりも先に行うものとすることができる。このようにすれば、ユーザーはタッチ位置と２つのボタンとの関係を把握することができる。
【００１５】
本発明において、前記制御部は、前記ボタンとして、前記タッチパネルに複数の前記ボタンを表示し、前記案内部は、前記タッチ位置が、２つの前記ボタンの双方から所定距離以内に位置する場合には、２つの前記ボタンのうち前記タッチ位置に近い一方のボタンの案内を他方のボタンの案内よりも大きな音量で行うものとすることができる。このようにすれば、ユーザーはタッチ位置と２つのボタンとの関係を把握することができる。
【図面の簡単な説明】
【００１６】
【図１】本発明を適用した複合機のブロック図である。
【図２】操作画面の説明図である。
【図３】別の操作画面の説明図である。
【図４】感知エリアの設定を変更した操作画面の説明図である。
【発明を実施するための形態】
【００１７】
以下に、図面を参照して、本発明を適用した表示装置の実施形態である複合機を説明する。
【００１８】
図１は本発明を適用した複合機のブロック図である。図２はタッチパネルに表示される操作画面の説明図である。本例の複合機１（表示装置）はプリンター機能およびコピー機能を備えるものである。複合機１は、印刷機構２、光学式のスキャナーユニット３、タッチパネル４、および、２つのスピーカー５、６を備える。タッチパネル４は、操作画面を表示する画像表示部７と、画像表示部７の画面上に配置された位置入力部８を備える。位置入力部８は、画像表示部７に表示された操作画面上のユーザーのタッチ位置を検出する。画像表示部７としては、液晶表示装置（ＬＣＤ）などが用いられる。また、位置入力部８は、例えば、発光素子と受光素子を用いて遮光位置（タッチ位置）を検出する方式のものが用いられる。あるいは、他の検出方式のタッチパネル４を用いても良い。２つのスピーカー５、６は、タッチパネル４の左側に配置された第１スピーカー５と、右側に配置された第２スピーカー６である。
【００１９】
また、複合機１は、印刷機構２、スキャナーユニット３およびスピーカー５、６を制御する制御部１０と、ネットワークを介して他の装置と通信を行うためのインターフェース部１１を備える。制御部１０は印刷機能を実現する。すなわち、制御部１０はインターフェース部１１を介して受信した印刷ジョブデータに基づいて印刷機構２を制御し、印刷ジョブデータで指示された内容を印刷する印刷処理を行う。また、制御部１０はコピー機能を実現する。すなわち、制御部１０は、タッチパネル４からの操作入力に基づき、スキャナーユニット３で原稿をスキャンして生成した画像データを印刷機構２で印刷することにより原稿をコピーするコピー処理を行う。なお、複合機１は他の機能を備えていても良い。例えば、スキャナーユニット３で原稿をスキャンして生成した画像データをタッチパネル４から入力された送信先に送信するＦＡＸ機能を備えていてもよい。
【００２０】
制御部１０は、ＣＰＵ、ＲＯＭ、ＲＡＭを備える。また、制御部１０はＡＳＩＣや信号処理回路等を備えていてもよい。あるいは、制御部１０は受信したデータや原稿をスキャンしたデータを蓄積するＨＤＤを備えていても良い。
【００２１】
制御部１０は、ＲＯＭに記憶された制御プログラムがＣＰＵで実行されることにより、処理制御部１５（制御部）と案内部１６とを備えるものとなる。換言すれば、制御プログラムは、制御部１０を、処理制御手段（処理制御部１５）と案内手段（案内部１６）とに機能させる。
【００２２】
処理制御部１５は、タッチパネル４にＧＵＩ部品（ＧＵＩ：Ｇｒａｐｈｉｃａｌ  Ｕｓｅｒ  Ｉｎｔｅｒｆａｃｅ）である複数のボタンを表示する。タッチパネル４に表示される各ボタンには予め処理が割り当てられている。図２に示すように、本例では、タッチパネル４に表示される操作画面２０には２つのボタン２１、２２が表示される。左側に位置する第１ボタン２１には設定処理が割り当てられている。第１ボタン２１の中央部分には「Ｓｅｔｕｐ］という文字が表示されている。設定処理は、印刷処理やコピー処理における印刷部数など、各処理の機能を設定するための設定画面（不図示）を表示する処理である。右側に位置する第２ボタン２２には印刷処理が割り当てられている。第２ボタン２２の中央部分には「Ｐｒｉｎｔ」という文字が表示されている。
【００２３】
また、処理制御部１５はスピーカー５、６から所定の案内音が流れた後に各ボタン２１、２２がタッチされた場合に、各ボタン２１、２２に割り当てられた処理を実行させる。
【００２４】
案内部１６は、ユーザーによるタッチパネル４のタッチ位置が各ボタン２１、２２から所定距離Ｌ０以内の位置である場合に、各ボタン２１、２２の位置をスピーカー５、６から案内する。より具体的には、案内部１６は、タッチパネル４における各ボタン２１、２２の中心から所定距離Ｌ０以内の円形の領域を感知エリア２３、２４として設定しており、ユーザーによるタッチ位置が第１ボタン２１の感知エリア２３内にある場合に、第１ボタン２１の位置を案内する。また、ユーザーによるタッチ位置が第２ボタン２２の感知エリア２４内にある場合に、第２ボタン２２の位置を案内する。本例では、案内部１６は各ボタン２１、２２に割り当てられた処理の内容を説明する案内音をスピーカー５、６から出力する。そして、案内部１６は、スピーカー５、６から出力される案内音の音量の大小により、ユーザーに各ボタン２１、２２の位置を案内する。
【００２５】
すなわち、案内部１６は、タッチ位置と各ボタン２１、２２との間の距離が所定距離Ｌ０以下の第１距離Ｌ１の場合には、タッチ位置と各ボタン２１、２２との間の距離が所定距離Ｌ０以下で第１距離Ｌ１よりも長い第２距離Ｌ２の場合と比較して、案内音の音量を大きくする。換言すれば、案内部１６は、タッチ位置と各ボタン２１、２２との間の距離が第２距離Ｌ２の場合には、タッチ位置とボタン２１、２２との間の距離が第２距離Ｌ２よりも短い第１距離Ｌ１の場合と比較して、案内音の音量を小さくする。従って、図２に示すように、ユーザーによるタッチ位置が第１ボタン２１の感知エリア２３内にある第１位置Ａである場合の案内音の音量は、タッチ位置が第１位置Ａよりも第１ボタン２１から遠い第２位置Ｂにある場合の案内音の音量よりも大きい。
【００２６】
さらに、案内部１６は、ユーザーが各ボタン２１、２２をタッチした場合には（タッチ位置が各ボタン２１、２２上にある場合には）、タッチ位置が各ボタン２１、２２から外れた位置にある場合と異なる案内を行う。また、案内部１６は、ユーザーによるタッチ位置が各ボタン２１、２２から外れた位置にある場合には、案内音を最大音量よりも小さい音量としており、タッチ位置が各ボタン２１、２２上に位置すると案内音の音量を最大とする。
【００２７】
より具体的には、タッチ位置が第１ボタン２１の感知エリア２３内で第１ボタン２１から外れた位置にある場合には、案内部１６は「設定を変更できます」という案内音をスピーカー５、６から出力する。一方、タッチ位置が第１ボタン２１上にある場合には、案内部１６は「ポン」という効果音に続いて「設定画面を表示します」という案内音をスピーカー５、６から出力する。また、タッチ位置が第２ボタン２２の感知エリア２４内で第２ボタン２２から外れた位置にある場合には、案内部１６は「印刷を開始できます」という案内音をスピーカー５、６から出力する。一方、タッチ位置が第２ボタン２２上にある場合には、案内部１６は「ポン」という効果音に続いて「印刷を開始します」という案内音をスピーカー５、６から出力する。そして、案内部１６は、ユーザーがタッチパネル４にタッチしている間（位置入力部８にタッチ位置が連続的に入力されている間）、これらの案内を繰り返す。ここで、処理制御部１５は、案内部１６がスピーカー５、６からユーザーが各ボタン２１、２２をタッチした場合の案内音を出力した後に当該各ボタン２１、２２がタッチされた場合に、各ボタン２１、２２に割り当てられた処理を実行させる。
【００２８】
さらに、案内部１６は、タッチ位置から見て各ボタン２１、２２の側に位置するスピーカー５、６からの案内を各ボタン２１、２２とは反対側に位置するスピーカー５、６からの案内より大きな音量で行う。
【００２９】
これに加えて、案内部１６は、タッチ位置が各感知エリア２３、２４内を移動する場合には、タッチ位置と各ボタン２１、２２との間の距離の変化に基づいて案内を変化させる。すなわち、ユーザーがタッチパネル４をタッチした指をタッチパネル４から離間させずに移動させている場合には、移動するタッチ位置が各ボタン２１、２２に近づくのに伴って、案内音の音量を大きくする。また、移動するタッチ位置が各ボタン２１、２２に近づくのに伴って、各ボタン２１、２２に近い側のスピーカー５、６からの案内音を大きくして、各ボタン２１、２２から遠い側のスピーカー５、６からの案内音を小さくする。ここで、案内部１６は、タッチ位置が感知エリア２３、２４から外に外れると、案内を中止する。
【００３０】
（各ボタンの位置の案内）
複合機１に電源が投入されてタッチパネル４が起動すると、図２に示すように、タッチパネル４には第１ボタン２１および第２ボタン２２を備える操作画面２０が表示される。第１ボタン２１の周囲には感知エリア２３が設定され、第２ボタン２２の周囲には感知エリア２４が設定される。
【００３１】
ここで、ユーザーがタッチパネル４にタッチしたときに、タッチ位置が、第１ボタン２１と第２ボタン２２との間の第３位置Ｃである場合には、タッチ位置がいずれのボタン２１、２２の感知エリア２３、２４からも外れている。従って、案内部１６は案内音を出力しない。
【００３２】
次に、ユーザーによるタッチ位置が第３位置Ｃよりも左側に位置する第２位置Ｂである場合には、タッチ位置は第１ボタン２１の感知エリア２３内に位置する。従って、第１スピーカー５および第２スピーカー６からは「設定を変更できます」という案内音が出力される。この案内音により、ユーザーは、タッチ位置が第１ボタン２１に近い位置（所定距離Ｌ０内）であることを把握できる。また、案内音は、第１ボタン２１に近い左側の第１スピーカー５から出力される案内音の音量が、第１ボタン２１から遠い右側の第２スピーカー６から出力される案内音の音量と比較して大きい。従って、ユーザーは、第１ボタン２１がタッチ位置よりも右側に位置し、第１ボタン２１がタッチ位置の左側に位置することを把握できる。ここで、案内部１６は、ユーザーが第２位置Ｂをタッチしている間、案内を繰り返す。
【００３３】
その後、ユーザーによるタッチ位置が第２位置Ｂよりも左側に位置する第１位置Ａに移動した場合には、第１スピーカー５および第２スピーカー６からの音量が、タッチ位置が第２位置Ｂにある場合と比較して、大きくなる。さらに、左側の第１スピーカー５から出力される案内音の音量が、右側の第２スピーカー６から出力される案内音の音量と比較して、より、大きくなる。従って、ユーザーは、現在のタッチ位置（第１位置Ａ）が直前のタッチ位置（第２位置Ｂ）よりも第１ボタン２１に近いことを把握できる。また、ユーザーは、左右のスピーカー５、６から出力される案内音の大小により、第１ボタン２１がタッチ位置よりも左側に位置することを把握できる。ここで、ユーザーがタッチパネル４から指を離間させず、タッチ位置がタッチパネル４上を第２位置Ｂから第３位置Ｃに移動している場合には、タッチ位置が第１位置Ａに近づくのに伴って、第１スピーカー５および第２スピーカー６からの音量が連続して大きくなるとともに、第１スピーカー５から出力される案内音の音量が第２スピーカー６から出力される案内音の音量と比較して大きくなる。
【００３４】
そして、ユーザーが第１ボタン２１をタッチすると、すなわち、ユーザーのタッチ位置が第１ボタン２１上に位置すると、案内部１６は、「ポン」という効果音に続いて「設定画面を表示します」という案内音を最大音量でスピーカー５、６から出力する。その後、ユーザーが第１ボタン２１をタッチすると、処理制御部１５は第１ボタン２１に割り当てられた処理を実行させる。これにより、タッチパネル４には設定画面が表示される。
【００３５】
なお、ユーザーによるタッチ位置が第２位置Ｂから第３位置Ｃに移動した場合には、タッチ位置が第１ボタン２１の感知エリア２３から外れるので、案内部１６は案内を中止する。また、ユーザーによるタッチ位置が第２位置Ｂから第２ボタン２２の感知エリア２４内の第４位置Ｄに位置すると、案内部１６は第２ボタン２２に関する案内音をスピーカー５、６から出力する。
【００３６】
すなわち、タッチ位置が第４位置Ｄの場合には、第１スピーカー５および第２スピーカー６からは「印刷を開始できます」という案内音が出力される。この案内音により、ユーザーは、タッチ位置が第２ボタン２２に近い位置（所定距離Ｌ０内）であることを把握できる。また、案内音は、第２ボタン２２に近い右側の第２スピーカー６から出力される案内音の音量を、第２ボタン２２から遠い左側の第１スピーカー５から出力される案内音の音量と比較して大きくする。従って、ユーザーは、左右のスピーカー５、６から出力される案内音の大小により、第２ボタン２２がタッチ位置（第４位置Ｄ）よりも右側に位置することを把握できる。
【００３７】
その後、ユーザーによるタッチ位置が第４位置Ｄよりも右側で第２ボタン２２に近い第５位置Ｅとなると、第１スピーカー５および第２スピーカー６からの音量が、タッチ位置が第４位置Ｄにある場合と比較して、大きくなる。さらに、右側の第２スピーカー６から出力される案内音の音量が、左側の第１スピーカー５から出力される案内音の音量と比較して、より大きくなる。従って、ユーザーは、現在のタッチ位置（第５位置Ｅ）が直前のタッチ位置（第４位置Ｄ）よりも第２ボタン２２に近いことを把握できる。また、ユーザーは、第２ボタン２２がタッチ位置よりも右側に位置することを把握できる。ここで、ユーザーがタッチパネル４から指などを離間させず、タッチ位置が第４位置Ｄから第５位置Ｅに移動している場合には、タッチ位置が第５位置Ｅに近づくのに伴って、第１スピーカー５および第２スピーカー６からの音量が連続して大きくなるとともに、第２スピーカー６から出力される案内音の音量が第１スピーカー５から出力される案内音の音量と比較してより大きくなる。
【００３８】
そして、ユーザーが第２ボタン２２をタッチすると、すなわち、ユーザーのタッチ位置が第２ボタン２２上に位置すると、案内部１６は、「ポン」という効果音に続いて「印刷を開始します」という案内音を最大音量で出力する。その後、ユーザーが第２ボタン２２をタッチすると、処理制御部１５は第２ボタン２２に割り当てられた処理が実行させる。これにより、複合機１では、印刷機構２が駆動されて、印刷処理が行われる。
【００３９】
ここで、図３はタッチパネル４に表示される操作画面の別の例である。図３に示すように、タッチパネル４に表示される操作画面２０Ａでは、表示された複数のボタン２１、２２の感知エリア２３、２４が部分的に重なっている。
【００４０】
このような場合に、ユーザーによるタッチ位置が第１ボタン２１の感知エリア２３と第２ボタン２２の感知エリア２４とが重なる第６位置Ｆである場合には、案内部１６は２つのボタン２１、２２のうちタッチ位置に近い一方のボタン（図３に示す例では、第１ボタン２１）に関する案内音を先にスピーカー５、６から出力し、その後、他方のボタン（図３に示す例では、第２ボタン２２）に関する案内音をスピーカー５、６から出力する。各ボタン２１、２２に関する案内音は、２つの感知エリア２３、２４が重なっていない上記の場合と同様の音量で行われる。このようにすれば、ユーザーはタッチ位置と２つのボタン２１、２２との関係を案内音によって把握することができる。
【００４１】
なお、案内部１６は、ユーザーによるタッチ位置が第１ボタン２１の感知エリア２３、２４と第２ボタン２２の感知エリア２３、２４とが重なる第６位置Ｆである場合に、タッチ位置に近い一方のボタン（図３に示す例では、第１ボタン２１）に関する案内音の音量を、他方のボタン（図３に示す例では、第２ボタン２２）に関する案内音の音量よりも大きくしてもよい。このようにしても、ユーザーはタッチ位置と２つのボタン２１、２２との関係を把握することができる。また、タッチ位置に近い一方のボタン２１、２２に関する案内音の音量を、他方のボタン２１、２２に関する案内音の音量よりも大きくする場合には、タッチ位置に近い一方のボタンに関する案内音と他方のボタンに関する案内音とをスピーカー５、６から同時に出力してもよい。
【００４２】
以上、本例によれば、ユーザーが各ボタン２１、２２から所定距離Ｌ０内の位置をタッチすると、スピーカー５、６からの案内音により、各ボタン２１、２２の処置の内容が説明され、各ボタン２１、２２の位置が案内音の音量によって案内される。従って、タッチパネル４上の各ボタン２１、２２の位置を目視によらず、特定することが容易となる。
【００４３】
また、本例では、タッチ位置が各ボタン２１、２２上にある場合には、タッチ位置が各ボタン２１、２２から外れた感知エリア２３、２４にある場合と異なる案内がされる。これにより、ユーザーは各ボタン２１、２２をタッチしたことを把握できる。従って、ユーザーは各ボタン２１、２２を操作しやすい。
【００４４】
（変形例）
図４は感知エリアの設定を変更した場合の操作画面２０の説明図である。上記の例では、案内部１６は、感知エリア２３、２４を各ボタン２１、２２の中心から所定距離Ｌ０以内の円形の領域に設定しているが、図４に示すように、感知エリア２３、２４を各ボタン２１、２２の外周縁から所定距離Ｌ５の領域の内側とすることもできる。
【００４５】
なお、上記の例では、複合機１は２つのスピーカー５、６を備えるが、スピーカーは１つでもよい。この場合には、タッチ位置が各ボタン２１、２２に近い場合に、案内音の音量を大きくし、タッチ位置が各ボタン２１、２２から遠ざかるのに従って案内音の音量を小さくする。このようにしても、ユーザーは、音量の変化により、各ボタン２１、２２がタッチ位置から近い位置にあるのか、遠い位置にあるのかを把握できる。また、スピーカーは３つ以上でもよい。この場合には、案内部１６が案内音を出力する際に、３つ以上のスピーカーのうち、各ボタン２１、２２に最も近いスピーカーからの案内音の音量を、他のスピーカーからの案内音の音量と比較して最も大きくすれば、ユーザーは各ボタン２１、２２の位置を把握しやすい。さらに、スピーカーが２つ以上の場合には、各スピーカーからの案内音に、タッチ位置とボタンの位置に応じて、位相差等をつけてもよい。このようにすることでも、タッチ位置からボタンがどちらに存在しているかを案内することができる。なお、音量差をつけることに代えて位相差等をつけてもよいし、音量差をつけることに加えて位相差等をつけてもよい。
【００４６】
さらに、案内音は、タッチ位置と各ボタン２１、２２との相対位置を、方向を表す言葉で案内するものとしてもよい。例えば、第２位置Ｂがタッチされた場合に、「設定を変更する第１ボタン２１は左側にあります」など、処理の内容を説明する言葉と方向を表す言葉とを結合させて案内を行う。このようにすれば、ユーザーは各ボタン２１、２２の位置をより把握しやすい。
【００４７】
ここで、上記形態は、複合機１である表示装置に本発明を適用したものであったが、本発明はタッチパネル４を備える各種の表示装置に適用することができる。例えば、印刷機能のみを持つ単機能のプリンターや、スキャナー機能のみを持つ単機能のスキャナー装置に本発明を適用することができる。また、タッチパネル４を備えるコンピューター装置やタブレット型端末に本発明を適用することができる。例えば、タブレット型の操作端末をプリンターや複合機１とは別体に構成し、操作端末とプリンターや複合機１との間で通信を行って操作することもできる。また、画像表示部はタッチパネル４でなくてもよく、マウスやタッチパッドなどの入力装置を用いて画像表示部に表示される操作画面２０への入力を行うものであってもよい。
【符号の説明】
【００４８】
１…複合機（表示装置）、２…印刷機構、３…スキャナーユニット、４…タッチパネル、５…第１スピーカー、６…第２スピーカー、７…画像表示部、８…位置入力部、１０…制御部、１１…インターフェース部、１５…処理制御部（制御部）、１６…案内部、２０…操作画面、２０Ａ…操作画面、２１…第１ボタン、２２…第２ボタン、２３…第１ボタンの感知エリア、２４…第２ボタンの感知エリア、Ａ〜Ｆ…第１〜第６位置、Ｌ０…所定距離、Ｌ１…第１距離、Ｌ２…第２距離、Ｌ５…所定距離。
【図１】
2018120504.tif 000003
【図２】
2018120504.tif 000004
【図３】
2018120504.tif 000005
【図４】
2018120504.tif 000006